(57)【要約】【課題】記入された情報の上に容易に筆記または印字でき、また、郵便葉書等の用紙のリサイクル性を確保でき、しかも遮蔽シートと透明層とが安定に擬似接着された隠蔽用粘着シートおよび剥離シート付き隠蔽用粘着シートを提供する。【解決手段】本発明の隠蔽用粘着シート１０は、遮蔽シート１１と、光透過性紙基材１２と、遮蔽シート１１および光透過性紙基材１２を剥離可能にかつ再貼着不能に接着している擬似接着層１３と、光透過性紙基材１２における擬似接着層１３と反対側の面に設けられた粘着剤層１４とを備え、擬似接着層１３がウェットラミネート法により形成されている。本発明の剥離シート付き隠蔽用粘着シート１は、上記隠蔽用粘着シート１０と、隠蔽用粘着シート１０の粘着剤層１４に積層された剥離シート２０とを備える。【選択図】図２
2008008943.tif 000002
【特許請求の範囲】
【請求項１】
遮蔽シートと、光透過性紙基材と、遮蔽シートおよび光透過性紙基材を剥離可能にかつ再貼着不能に接着している擬似接着層と、光透過性紙基材における擬似接着層と反対側の面に設けられた粘着剤層とを備え、
擬似接着層がウェットラミネート法により形成されていることを特徴とする隠蔽用粘着シート。
【請求項２】
請求項１に記載の隠蔽用粘着シートと、該隠蔽用粘着シートの粘着剤層に積層された剥離シートとを備えることを特徴とする剥離シート付き隠蔽用粘着シート。
【発明の詳細な説明】
【技術分野】
【０００１】
本発明は、例えば郵便葉書等の用紙に記入された個人情報を隠蔽する隠蔽用粘着シートおよび剥離シート付き隠蔽用粘着シートに関する。
【背景技術】
【０００２】
近年、個人情報の保護が極めて重要になってきている。そのため、郵便葉書に個人情報を記載して郵送する際には、個人情報が第三者に見られないように、個人情報を記入した部分に隠蔽用粘着シートを貼付することが一般的になっている。
郵便葉書に貼付される隠蔽用粘着シートとしては、例えば、特許文献１〜３に、光透過性を有さない遮蔽シートと、透明層である透明樹脂層と、該透明樹脂層を郵便葉書に貼着するために設けられた接着剤層とを備え、遮蔽シートと透明樹脂層とが、剥離可能にかつ再貼着不能に接着された（このような接着のことを擬似接着という。）ものが開示されている。この場合の擬似接着は、ドライラミネート法や押し出しラミネート法により行われている。
特許文献１〜３に記載の隠蔽用粘着シートは、郵便葉書の差出人によって、郵便葉書の情報記入欄に記入された個人情報が隠蔽されるように、接着剤層により郵便葉書に貼着される。そして、差出人は、その状態で個人情報を求めた企業等に郵便葉書を郵送する。一方、隠蔽用粘着シートにより個人情報が隠蔽された郵便葉書を受け取った企業等では、隠蔽用粘着シートの遮蔽シートを剥離する。遮蔽シートを剥離した後には、透明樹脂層および接着剤層を通して個人情報を読み取ることができる。
【特許文献１】実開昭６３−６８７０号公報
【特許文献２】実開昭６３−１１８６３号公報
【特許文献３】実開昭６３−５１７７２号公報
【発明の開示】
【発明が解決しようとする課題】
【０００３】
ところで、企業等では、記入された個人情報にさらに情報を補充したり、記入漏れを埋めたりすることがあるため、個人情報の記載の上に筆記または印字できることが求められる。しかし、特許文献１〜３に記載の隠蔽用粘着シートでは、遮蔽シートを剥離して露出した透明樹脂層が、筆記または印字することに適していなかった。特に、水性インキによる筆記または印字に適しておらず、例えば、インクジェット記録方式による印字は困難であった。
また、近年、環境保護の観点から、リサイクル性が高いことが求められているが、特許文献１〜３に記載の隠蔽用粘着シートは、郵便葉書に残る層が樹脂製であり、郵便葉書のリサイクル性が損なわれた。
そこで、透明層として、透明樹脂フィルムの代わりに、光透過性紙基材を使用することが考えられるが、遮蔽シートと透明樹脂層とをドライラミネートにより貼着すると、剥離力が不安定になるため、遮蔽シートと透明樹脂層とを安定に擬似接着することは困難であった。
本発明は、前記事情を鑑みてなされたものであり、記入された情報の上に容易に筆記または印字でき、また、郵便葉書等の用紙のリサイクル性を確保でき、しかも遮蔽シートと透明層とが安定に擬似接着された隠蔽用粘着シートおよび剥離シート付き隠蔽用粘着シートを提供することを目的とする。
【課題を解決するための手段】
【０００４】
本発明は、以下の構成を包含する。
［１］  遮蔽シートと、光透過性紙基材と、遮蔽シートおよび光透過性紙基材を剥離可能にかつ再貼着不能に接着している擬似接着層と、光透過性紙基材における擬似接着層と反対側の面に設けられた粘着剤層とを備え、
擬似接着層がウェットラミネート法により形成されていることを特徴とする隠蔽用粘着シート。
［２］  ［１］に記載の隠蔽用粘着シートと、該隠蔽用粘着シートの粘着剤層に積層された剥離シートとを備えることを特徴とする剥離シート付き隠蔽用粘着シート。
【発明の効果】
【０００５】
本発明の隠蔽用粘着シートおよび剥離シート付き隠蔽用粘着シートは、記入された情報の上に容易に筆記または印字でき、しかも遮蔽シートと透明層である光透過性紙基材とが安定に擬似接着されている。
【発明を実施するための最良の形態】
【０００６】
（隠蔽用粘着シート）
本発明の隠蔽用粘着シートの一実施形態について説明する。
図１に、本実施形態の隠蔽用粘着シートを示す。この隠蔽用粘着シート１０は、遮蔽シート１１と、光透過性紙基材１２と、遮蔽シート１１および光透過性紙基材１２を剥離可能にかつ再貼着不能に接着している擬似接着層１３と、光透過性紙基材１２における擬似接着層１３と反対側の面に設けられた粘着剤層１４とを備えるものである。
以下、本実施形態の隠蔽用粘着シートの各構成について詳述する。
【０００７】
［遮蔽シート］
遮蔽シート１１としては、例えば、遮蔽シート用基材に所定パターンの印刷が施されたものが挙げられる。遮蔽シート用基材としては、紙類またはフィルム類等が使用される。
紙類としては、例えば、キャストコート紙、アート紙、コート紙、上質紙等が挙げられる。プラスチックフィルムとしては、例えば、ポリプロピレン、ポリエチレン、ポリエチレンテレフタレートやポリブチレンテレフタレート等のポリエステル、ポリ塩化ビニル等の各種高分子フィルム、合成紙等が挙げられる。
印刷のパターンとしては、例えば、ベタ状、帯状、網目状、千鳥状、スポット状、文字、地紋等が挙げられる。
【０００８】
また、遮蔽シート１１としては、遮蔽シート用基材中に酸化チタンなどの不透明化剤が添加または塗布されたもの、遮蔽シート用基材の全体又は一部に銀色、黒色、濃紺色等の濃色系の着色フィルムや濃色系の色付き紙が貼り合わされたもの、遮蔽シート用基材にアルミニウム箔等の金属箔や金属蒸着フィルムが貼り合わされたもの等を使用することもできる。
【０００９】
［光透過性紙基材］
光透過性紙基材１２は、パルプを主体とした基材であり、光透過性を有するものである。ここで、「光透過性」とは、可視光透過性のことであり、粘着剤層１４を介して郵便葉書等の用紙に貼着された際に、郵便葉書等に記入された情報が視認可能であることを意味する。具体的には、「光透過性」とは、ヘイズ値が９０％以下、特に３０〜８０％であることをいう。
光透過性紙基材１２の具体例としては、グラシン紙、パルプ含有量が５１質量％以上の樹脂含浸紙、低米坪紙、硫酸紙、透明化剤処理紙等が挙げられる。
上記光透過性紙基材１２の具体例の中でも、透明性およびリサイクル性の点から、グラシン紙が好ましく、グラシン紙の中でも密度が０．８５ｇ／ｍ３以上のものが好ましい。密度が０．８５ｇ／ｍ３のグラシン紙であれば、強度が強いため、遮蔽シート１１を剥離した際に破れにくい。そのため、遮蔽シート１１を剥離しやすくなる。
【００１０】
［擬似接着層］
擬似接着層１３は、ウェットラミネート法により形成されているものである。ここで、ウェットラミネート法とは、２枚の基材を完全に乾燥されていない接着剤を介して積層した後、接着剤を適宜乾燥して貼り合わせる方法のことである。
【００１１】
擬似接着層１３には、接着成分として、擬似接着可能で、ウェットラミネート法の適用が可能な各種擬似接着剤が含まれる。
擬似接着剤としては、例えば、天然ゴム、合成ゴム等のゴム系粘着剤；アクリル酸および／またはアクリル酸エステルを主なモノマー成分として含有するアクリル系粘着剤；酢酸ビニル重合体、エチレン−酢酸ビニル共重合体（ＥＶＡ）等の酢酸ビニルを主なモノマー成分として含有する酢酸ビニル系粘着剤；澱粉、アルギン酸ナトリウム等の多糖系粘着剤やデキストリン系粘着剤等の水溶性接着剤などが使用できる。
これらの中でも、ゴム系、アクリル系、酢酸ビニル系、デキストリン系の粘着剤が、接着性を任意に幅広くコントロールできるため好ましく、接着強度等を考慮して適宜選択される。さらに、ウェットラミネート法を容易に適用できることから、酢酸ビニル系および／またはデキストリン系の粘着剤がより好ましい。
擬似接着層１３中の擬似接着剤の含有量は、擬似接着性を充分に確保できることから、１０〜１００質量％が好ましく、２０〜８０質量％がより好ましい。
【００１２】
また、擬似接着層１３は、さらに接着力調節剤を含有することが好ましい。接着力調節剤は、擬似接着層１３中に分散し、擬似接着層１３の凝集力を低減させるものである。擬似接着層１３中に接着力調節剤を含有させて、擬似接着層１３の凝集力を低減すれば、遮蔽シート１１と光透過性紙基材１２とがより剥離しやすくなる。
接着力調節剤としては、ポリエチレンワックス等のワックス類、金属石鹸、無機顔料および有機顔料等が挙げられる。
擬似接着層１３中の接着力調節剤の含有量は、遮蔽シート１１と光透過性紙基材１２との接着強度や擬似接着層１３の凝集力等を考慮して適宜決定されるが、０〜９０質量％であることが好ましく、５〜８５質量％であることがより好ましく、２０〜８０質量％であることが特に好ましい。
【００１３】
擬似接着層１３における遮蔽シート１１と光透過性紙基材１２との間の接着強さは、ＪＩＳ  Ｋ  ６８５４−３に規定されるＴ形剥離試験法に準拠して、５０〜１０００ｍＮ／２５ｍｍ（剥離速度３００ｍｍ／分）であることが好ましく、さらに、８０〜６００ｍＮ／２５ｍｍ（剥離速度３００ｍｍ／分）であることがより好ましい。
Ｔ形剥離試験法による接着強さが５０ｍＮ／２５ｍｍ以上であれば、遮蔽シート１１と光透過性紙基材１２とを剥離しないときには遮蔽シート１１と光透過性紙基材１２とを確実に接着できる。またＴ形剥離試験法による接着強さが１０００ｍＮ／２５ｍｍ以下であれば、遮蔽シート１１と光透過性紙基材１２とを剥がす際に、遮蔽シート１１と光透過性紙基材１２とが確実に剥離するため、遮蔽シート１１および／または光透過性紙基材１２が破損しにくくなる。
Ｔ形剥離試験法による接着強さは、使用される擬似接着剤の種類やそれに基づく浸透性、塗布量、塗布してから貼り合わせるまでの時間、乾燥温度などによって適宜調節することができる。
【００１４】
ここで、ＪＩＳ  Ｋ  ６８５４−３に規定されるＴ形剥離試験法による接着強さは以下の手順で測定できる。すなわち、試料を２３℃、５０％ＲＨの環境下に２４時間以上放置した後、引張試験機などにより、３００ｍｍ／分の剥離速度で剥離試験を行う。接着強さは試験サンプル巾２５ｍｍあたりで示される。
【００１５】
［粘着剤層］
粘着剤層１４を構成する粘着剤としては特に制限されず、例えば、天然ゴム系粘着剤、合成ゴム系粘着剤、アクリル系粘着剤、ウレタン系粘着剤、シリコーン系粘着剤などが使用される。また、溶剤系、エマルジョン系、水系のいずれであってもよい。
粘着剤の中でも、可視光に対する光透過性の点から、溶剤型のアクリル系粘着剤、ウレタン系粘着剤、シリコーン系粘着剤が好ましい。
粘着剤には、必要に応じて他の助剤が添加されてもよい。他の助剤としては、増粘剤、ｐＨ調整剤、タッキファイヤ、バインダ、架橋剤、粘着性微粒子、消泡剤、防腐防黴剤、顔料、無機充填剤、安定剤、濡れ剤、湿潤剤などが挙げられる。
【００１６】
（剥離シート付き隠蔽用粘着シート）
次に、本実施形態の剥離シート付き隠蔽用粘着シートの一実施形態について説明する。
図２に、本実施形態の剥離シート付き隠蔽用粘着シートを示す。この剥離シート付き隠蔽用粘着シート１は、上記隠蔽用粘着シート１０と、隠蔽用粘着シート１０の粘着剤層１４に積層された剥離シート２０とを備えるものである。
【００１７】
［剥離シート］
剥離シート２０としては、例えば、剥離シート用基材と、剥離シート用基材の粘着剤層１４側に設けられた剥離剤層とを有するものが挙げられる。
剥離シート用基材としては、例えば、上質紙、グラシン紙などの紙類、ポリエチレンテレフタレートフィルムやポリプロピレンフィルムなどのプラスチックフィルム類などが挙げられる。
剥離剤層を構成する剥離剤としては、例えば、汎用の付加型もしくは縮合型のシリコーン系剥離剤や長鎖アルキル基含有化合物が用いられる。特に、反応性が高い付加型シリコーン系剥離剤が好ましく用いられる。
シリコーン系剥離剤としては、具体的には、東レ・ダウコーニングシリコーン社製のＢＹ２４−４５２７、ＳＤ−７２２０等や、信越化学工業（株）製のＫＳ−３６００、ＫＳ−７７４、Ｘ６２−２６００などが挙げられる。また、シリコーン系剥離剤中にＳｉＯ２単位と（ＣＨ３）３ＳｉＯ１／２単位あるいはＣＨ２＝ＣＨ（ＣＨ３）ＳｉＯ１／２単位を有する有機珪素化合物であるシリコーンレジンを含有することが好ましい。シリコーンレジンの具体例としては、東レ・ダウコーニングシリコーン社製のＢＹ２４−８４３、ＳＤ−７２９２、ＳＨＲ−１４０４等や、信越化学工業（株）製のＫＳ−３８００、Ｘ９２−１８３等が挙げられる。
【００１８】
［製造方法］
剥離シート付き隠蔽用粘着シート１の製造方法の一例について説明する。
本製造例では、まず、遮蔽シート１１の片面に擬似接着剤塗布液を塗布し、必要に応じて、一部の水分を除去して、擬似接着層１３となる塗布層を形成する。
ここで、擬似接着剤塗布液としては、例えば、上記擬似接着剤が水に溶解または分散されているもの（例えば、溶液、エマルジョン、スラリー）が挙げられる。複数の擬似接着剤を混合する場合には、擬似接着剤の水溶液、エマルジョン、スラリーを混合することで擬似接着剤塗布液を調製できる。擬似接着剤塗布液中の全固形分濃度は、１０〜７０質量％であることが好ましく、２０〜６０質量％であることがより好ましい。擬似接着剤液中の全固形分濃度が１０〜７０質量％であれば、塗布液の遮蔽シート１１へのしみ込み等が少なく、得られる擬似接着層１３の剥離安定性がより高くなる。
擬似接着剤塗布液の塗布方法としては、例えば、ブレードコーター、エアナイフコーター、ロールコーター、バーコーター、グラビアコーター、ロッドブレードコーター、リップコーター、ダイコーター、カーテンコーター等を用いた塗布が挙げられる。
擬似接着剤塗布液の塗布量は、乾燥塗布量として０．５〜１０ｇ／ｍ２であることが好ましく、１〜５ｇ／ｍ２であることがより好ましい。擬似接着剤塗布液の塗布量が、乾燥塗布量として０．５ｇ／ｍ２以上であれば、得られる擬似接着層１３が充分に擬似接着性を有し、１０ｇ／ｍ２以下であれば、剥離後に、記入された個人情報等の上に筆記または印字することが容易になる。
【００１９】
次いで、擬似接着層１３となる塗布層の上に光透過性紙基材１２を積層した後、必要に応じて、乾燥して水分を完全に除去して、擬似接着層１３を形成する。乾燥方法としては、例えば、熱風による乾燥、赤外線照射による乾燥などが挙げられる。
【００２０】
次いで、光透過性紙基材１２における擬似接着層１３と反対側の面に、粘着剤を塗布し、乾燥して粘着剤層１４を設けて、隠蔽用粘着シート１０を得る。そして、隠蔽用粘着シート１０の粘着剤層１４に剥離シート２０を積層して、剥離シート付き隠蔽用粘着シート１を得る。
【００２１】
剥離シート付き隠蔽用粘着シート１は上記製造例以外の方法で製造することもできる。例えば、剥離シート２０上に粘着剤層１４を設け、また、遮蔽シート１１と光透過性紙基材１２とが擬似接着層１３により接着された積層体を作製し、次いで、該積層体の光透過性紙基材１２側の面に、剥離シート２０上に設けた粘着剤層１４を貼着して、剥離シート付き隠蔽用粘着シート１を製造してもよい。
また、剥離シート２０上に粘着剤層１４を設け、その粘着剤層１４に光透過性紙基材１２のみを貼着し、次いで、光透過性紙基材１２に擬似接着剤塗布液を塗布して擬似接着層１３となる塗布層を形成し、該塗布層に遮蔽シート１１を貼り合わせた後、乾燥し、擬似接着層１３を形成して、剥離シート付き隠蔽用粘着シート１を製造してもよい。
【００２２】
［使用方法］
上記剥離シート付き隠蔽用粘着シートは、具体的には、以下のように使用される。
すなわち、まず、剥離シート付き隠蔽用粘着シート１の剥離シート２０を粘着剤層１４から剥離して粘着剤層１４を露出させる（図１参照）。そして、その露出した粘着剤層１４により、図３に示すように、郵便葉書２における個人情報が記入された部分２ａを覆うように隠蔽用粘着シート１０を貼着する。このように個人情報を隠蔽した状態で、個人情報を求めた企業等に郵便葉書２を郵送する。一方、隠蔽用粘着シート１０により個人情報が隠蔽された郵便葉書２を受け取った企業等では、隠蔽用粘着シート１０の遮蔽シート１１を剥離する。そして、光透過性紙基材１２および粘着剤層１４を通して郵便葉書２に記入された個人情報を読み取る。また、必要に応じて、記入された個人情報等の上に筆記または印字する。
なお、遮蔽シート１１を剥離した後には、光透過性紙基材１２の上に、層間剥離した擬似接着層が残っているが、通常、光透過性紙基材１２の上に残った擬似接着層は薄いため、記入された個人情報等の上への筆記または印字にほとんど影響がない。
【００２３】
上述した実施形態の剥離シート付き隠蔽用粘着シート１では、遮蔽シート１１を剥離して露出したものが紙基材であるため、容易に筆記または印字できる。特に、水性インキによる筆記または印字も可能であり、インクジェット記録方式により容易に印字できる。また、郵便葉書等の用紙に残るものが紙基材であるため、リサイクル性を確保できる。さらに、紙基材であるため、手破り性に優れ、容易に手で破いて廃棄できる。
また、遮蔽シート１１と光透過性紙基材１２とが擬似接着層１３により接着されており、遮蔽シート１１を一旦剥離すると、再貼着不能であるため、第三者が遮蔽シート１１を剥離した場合には証拠が残る。したがって、遮蔽シート１１が残ったままとなっていることで、第三者に個人情報が見られていないことを確認できる。また、第三者による不正な遮蔽シート１１の剥離を抑止できる。
また、擬似接着層１３がウェットラミネート法により形成されたものであるため、安定な擬似接着性を有する。そのため、遮蔽シート１１を剥離する際の剥離力が安定する。これは、遮蔽シート１１を剥離する際には擬似接着層１３にて層間剥離が生じるため、擬似接着層１３と遮蔽シート１１および光透過性紙基材１２との接着性が、遮蔽シート１１の剥離力に影響を及ぼしにくいためであると思われる。
【図面の簡単な説明】
【００２４】
【図１】本発明の隠蔽用粘着シートの一実施形態を示す断面図である。
【図２】本発明の剥離シート付き隠蔽用粘着シートの一実施形態を示す断面図である。
【図３】本発明の隠蔽用粘着シートを使用する方法の一例を説明する図である。
【符号の説明】
【００２５】
１  剥離シート付き隠蔽用粘着シート
１０  隠蔽用粘着シート
１１  遮蔽シート
１２  光透過性紙基材
１３  擬似接着層
１４  粘着剤層
２０  剥離シート
【図１】
2008008943.tif 000003
【図２】
2008008943.tif 000004
【図３】
2008008943.tif 000005